(57)【特許請求の範囲】
【請求項１】
通常運転モードと運転待機モードで使用される電源制御装置において、
交流商用電源から機器の各部分の駆動部用の直流電源を作り出すスイッチング電源と、
前記直流電源を入力としマイクロコンピュータを含む信号入力回路用の一定直流電圧を作り出すマイクロコンピュータ用電源と、
直列に接続された２個の抵抗と、該２個の抵抗の一方の抵抗に並列に接続された抵抗およびトランジスタの直列回路と、による分圧回路を具備し、前記スイッチング電源の出力電圧が印加された該分圧回路の該一方の抵抗に生ずる分圧電圧に基づいて前記スイッチング電源の出力電圧を変化させる出力電圧変更手段と、
シャントレギュレータを具備し、前記分圧電圧に基づいて安定電圧制御を行う誤差増幅回路と、
を備え、
前記出力電圧変更手段は、運転待機モード中に前記シャントレギュレータに与える前記分圧電圧を低下させることを特徴とする電源制御装置。
【請求項２】
運転待機モードから通常運転モードに移行する際に、前記スイッチング電源の出力電圧を通常電圧へ切り換える制御を行った後の所定時間経過後に機器の各部分の駆動回路を動作させることを特徴とする請求項１に記載の電源制御装置。
【請求項３】
スイッチング電源の出力電圧を検出する第２の電圧検出手段を具備し、運転待機モードから通常運転モードに移行する際に、前記第２の電圧検出手段により検出される出力電圧値が規定値以上になった後に、機器の各部分の駆動回路を動作開始させることを特徴とする請求項１に記載の電源制御装置。
【請求項４】
運転待機モードから通常運転モードへの移行に際して前記第２の電圧検出手段により検出されるスイッチング電源の出力電圧が規定値以上ならない場合には異常表示を行うことを特徴とする請求項３に記載の電源制御装置。
【発明の詳細な説明】
【０００１】
【発明の属する技術分野】
この発明は、テレビジョン受像器や空調機の室内ユニットなど、リモートコントローラからの運転指令を待機する状態を有する機器の電源制御装置に関するものである。
【０００２】
【従来の技術】
テレビジョン受像器など、リモートコントローラ（リモコン）からの運転指令を待機する状態を有する機器の電源制御装置は、定格動作モード（通常運転モード）と、リモコンよりの電源投入指示を待つ節電のための運転待機モードとを有しているものがある。
【０００３】
図５は、特開平６−６７３２号公報に開示されているような従来の電源制御装置を示している。この電源制御装置は、ＡＣ（商用交流電源）を入力して電圧レベルが異なるＶ１  〜ＶＮ  の直流出力を得るスイッチング電源（主電源回路）５０と、スイッチング電源５０より切換回路５１を介して直流電圧を与えられるマイクロコンピュータ用電源（以下、マイコン用電源と云う）５２と、スイッチング電源５０の出力電圧を検出してスイッチング電源５０の制御を行う二つの誤差増幅器５３、５４とを有し、切換回路５１は、モード切換信号により誤差増幅器５３、５４の切り換えと、スイッチング電源５０よりマイコン用電源５２に与える直流出力の切り換えとを行う。
【０００４】
図６は、図５に示されている従来の電源制御装置のスイッチング電源５０を除く部分の詳細回路を示している。マイコン用電源５２は、市販の汎用３端子レギュレータＲＥＧ１により構成され、マイコン用電源電圧（＋５Ｖ）を発生する。この電源電圧（＋５Ｖ）はマイコンを含む信号処理回路に供給される。
【０００５】
誤差増幅器５３はトランジスタＱ４、誤差増幅器５４はトランジスタＱ５に相当し、トランジスタＱ４およびＱ５のエミッタは共に定電圧ダイオードＤ６に接続され、コレクタには共にフォトカプラＰＣ１が接続されており、フォトカプラＰＣ１の光信号によりスイッチング電源５０の出力を制御する。モード切換信号はトランジスタＱ４、Ｑ５の切り換えを指示すると共に３端子レギュレータＲＥＧ１に供給する出力Ｖ１またはＶ２の切り換えを指示する。
【０００６】
つぎに、通常運転モードの動作について説明をする。モード切換信号入力としてハイレベルの信号を入力すると、抵抗Ｒ９を通じてトランジスタＱ１はオンとなり、コレクタ電位が低下する。トランジスタＱ１にベースを接続されたトランジスタＱ２は、トランジスタＱ３とダーリントン接続を構成しているが、トランジスタＱ２のベース電位が低下することにより、トランジスタＱ２、Ｑ３は共にオフとなる。
【０００７】
これにより、ダイオードＤ１がオフとなり、出力Ｖ１からの電力は３端子レギュレータＲＥＧ１に供給されず、Ｖ２からの電力がダイオードＤ２、抵抗Ｒ１１等を通じて３端子レギュレータＲＥＧ１に供給される。このとき、抵抗Ｒ２にはトランジスタＱ３から電流が流入しないため、ダイオードＤ３が導通し、トランジスタＱ４のベース電位が低下することにより、トランジスタＱ４はオフとなり、トランジスタＱ５が能動状態となる。このトランジスタＱ５により、スイッチング電源５０が通常運転モードで動作し、通常動作出力電圧を出力する。
【０００８】
つぎに、運転待機モードの動作について説明する。モード切換信号入力としててローレベルの信号が入力すると、トランジスタＱ１はオフとなり、このトランジスタＱ１に接続されたトランジスタＱ２、Ｑ３はそれぞれオンとなる。これにより、抵抗Ｒ６、トランジスタＱ３、抵抗Ｒ１を経由してダイオードＤ１がオンとなり、出力Ｖ１から３端子レギュレータＲＥＧ１に電力が供給される。
【０００９】
また、トランジスタＱ３がオンすることにより、ダイオードＤ３はオフする。これにより、トランジスタＱ４は能動状態となる。出力Ｖ１の検出回路でありトランジスタＱ４のベースに接続される抵抗Ｒ１３、Ｒ１４の抵抗比Ｒ１４／（Ｒ１３＋Ｒ１４）を、同様に検出回路でありトランジスタＱ５のベースに接続される抵抗Ｒ１５、Ｒ１６の抵抗比Ｒ１６／（Ｒ１５＋Ｒ１６）より大きくなるように選定することにより、スイッチング電源５０の出力Ｖ１、Ｖ２の電圧は、通常運転モードに比較して低い値を保つように制御される。このため、出力Ｖ２はレギュレータＲＥＧ１が５Ｖを出力するために必要な入力電圧を確保できなくなるが、Ｖ２より電圧の高い出力Ｖ１からダイオードＤ１等を通じて供給されることで、常に安定したマイコン用電源の出力を得ることができる。
【００１０】
また、他の従来例として、特開平１０−２３３５４号公報に示されているように、一つのスイッチング電源が本機用の電圧とマイコン用の電圧とを出力するように構成し、運転待機モードでは本機用の電圧出力をリレースイッチにより遮断すると共にスイッチング電源の発振周波数を下げるか、あるいは、本機用の電圧を出力するスイッチング電源とマイコン用の電圧を出力するスイッチング電源とを個別に設け、運転待機モードでは本機用の電圧を出力するスイッチング電源をスイッチ手段によりオフ状態すると共にマイコン用の電圧を出力するスイッチング電源の発振周波数を下げることにより、消費電力を低減する電源制御装置が知られている。
【００１１】
【発明が解決しようとする課題】
特開平６−６７３２号公報に示されているような従来の電源制御装置は、少なくとも二つの誤差増幅回路が必要であり、このため回路が複雑となり、回路全体の精度が低下し、運転待機状態での省電力化の効果が減少すると共に、基板占有面積も大きくなり、コストアップになるなどの課題がある。
【００１２】
また、特開平１０−２３３５４号公報に示されているような従来の電源制御装置は、スイッチング電源のトランスの中間タップよりマイコン用の電圧を確保したり、マイコン用の専用のスイッチング電源を用いているから、やはり回路が複雑となり、大きい占有容積を必要とし、特に小型化を要求される空調機の室内ユニットの電源制御装置には不向きである。
【００１３】
この発明は、上述のような課題を解消するためになされたもので、回路構成を複雑にすることがなく小型、低コストで、しかも運転待機状態での省電力化効果が大きい電源制御装置を得ることを目的とする。
【００１４】
【課題を解決するための手段】
上記目的を達成するために、この発明による電源制御装置は、通常運転モードと運転待機モードで使用される電源制御装置において、交流商用電源から機器の各部分の駆動部用の直流電源を作り出すスイッチング電源と、前記直流電源を入力としマイクロコンピュータを含む信号入力回路用の一定直流電圧を作り出すマイクロコンピュータ用電源と、シャントレギュレータを具備し、前記スイッチング電源の出力電圧に基づいて安定電圧制御を行う誤差増幅回路と、直列に接続された２個の抵抗と、該２個の抵抗の一方の抵抗に並列に接続された抵抗およびトランジスタの直列回路と、による分圧回路を具備し、前記スイッチング電源の出力電圧が印加された該分圧回路の該一方の抵抗に生ずる分圧電圧に基づいて前記スイッチング電源の出力電圧を変化させる出力電圧変更手段と、を備え、前記出力電圧変更手段は、運転待機モード中に前記シャントレギュレータに与える前記分圧電圧を低下させることを特徴とする。
【００１５】
この発明によれば、スイッチング電源は、交流商用電源から機器の各部分の駆動部用の直流電源を作り出し、マイクロコンピュータ用電源は、直流電源を入力としてマイクロコンピュータを含む信号入力回路用の一定直流電圧を作り出し、シャントレギュレータを具備する誤差増幅回路は、スイッチング電源の出力電圧に基づいて安定電圧制御を行い、直列に接続された２個の抵抗と、該２個の抵抗の一方の抵抗に並列に接続された抵抗およびトランジスタの直列回路とによる分圧回路を具備する出力電圧変更手段は、スイッチング電源の出力電圧が印加された該分圧回路の該一方の抵抗に生ずる分圧電圧に基づいてスイッチング電源の出力電圧を変化させる。上記のように構成されたスイッチング電源において、スイッチング電源が運転待機モード中の場合には、シャントレギュレータに与える分圧電圧が低下するように出力電圧変更手段によって制御され、その結果、スイッチング電源の出力電圧が低下する。
【００２０】
つぎの発明による電源制御装置は、上記の発明において、運転待機モードから通常運転モードに移行する際に、前記スイッチング電源の出力電圧を通常電圧へ切り換える制御を行った後の所定時間経過後に機器の各部分の駆動回路を動作させることを特徴とする。
【００２１】
つぎの発明による電源制御装置は、上記の発明において、スイッチング電源の出力電圧を検出する第２の電圧検出手段を具備し、運転待機モードから通常運転モードに移行する際に、前記第２の電圧検出手段により検出される出力電圧値が規定値以上になった後に、機器の各部分の駆動回路を動作開始させることを特徴とする。
【００２２】
つぎの発明による電源制御装置は、上記の発明において、運転待機モードから通常運転モードへの移行に際して前記第２の電圧検出手段により検出されるスイッチング電源の出力電圧が規定値以上ならない場合には異常表示を行うことを特徴とする。
【００２３】
【発明の実施の形態】
以下に添付の図を参照して、この発明にかかる電源制御装置の実施の形態を詳細に説明する。
【００２４】
実施の形態１．
図１は、この発明による電源制御装置を空調機の室内ユニット用の電源制御装置に適用した実施の形態１を示している。この電源制御装置は、入力端子に商用交流電源１を接続されたブリッジ整流回路２を有し、ブリッジ整流回路２の出力端子間には、スイッチング電源であるスイッチングトランス３の一次巻線３ａとスイッチング素子を含むコンバータ制御部４との直列回路と、平滑用電解コンデンサ５の並列回路とが接続されている。
【００２５】
スイッチングトランス３の２次巻線３ｂには整流ダイオード６を介して１２Ｖ用の直流出力部１１が接続されており、この直流出力部１１には、マイコン用電源である３端子レギュレータ７の入力端子、室外給電用リレー８のコイル、風向モータ９、運転表示ランプ１０等が接続されている。整流ダイオード６と直流出力部１１との間には平滑用電解コンデンサ１２が接地接続されている。
【００２６】
また、直流出力部１１は、電流制限抵抗１３、フォトカプラ１４の発光素子１４ａ、誤差増幅器であるシャントレギュレータ１５を介して接地しており、フォトカプラ１４の受光素子１４ｂに流れる電流はコンバータ制御部４の帰還電流になっている。また、出力電圧変更手段として、直流出力部１１の電圧を分圧して検出する抵抗１６、１７の分圧点がシャントレギュレータ１５の基準入力端子に接続されており、抵抗１７に並列に検出電圧を変更するための抵抗１８とトランジスタ１９との直列回路が接続されている。
【００２７】
また、マイコン用電源である３端子レギュレータ７の出力電圧によって駆動されるマイクロコンピュータ（マイコン）２０が設けられており、マイクロコンピュータ２０は、信号入力回路であるリモコン受信回路２１および本体運転スイッチ回路２２の信号により、室外給電用リレー８等の駆動回路２３と、トランジスタ１９のオン・オフを制御している。
【００２８】
つぎに、上述の構成による電源制御装置の動作について説明する。商用交流電源１の電圧は、ブリッジ整流回路２により全波整流され、平滑用電解コンデンサ５により平滑される。平滑された電圧がある電圧以上になると、コンバータ制御部４が起動し、スイッチングトランス３の２次巻線３ｂに電圧が発生する。このとき、トランジスタ１９、室外給電用リレー８等の駆動回路２３はオフするように、マイクロコンピュータ２０に初期設定してある。
【００２９】
従って、基準電圧が２．  ５Ｖのシャントレギュレータ１５を使用し、出力電圧を検出する抵抗１６と抵抗１７の分圧比を（  １／３）  に設定すると、直流出力部１１の出力電圧は２．  ５Ｖの３倍である７．  ５Ｖの電圧に安定するようにフォトカプラ１４によりコンバータ制御部４に帰還電流が流れる。直流出力部１１の出力電圧は７．  ５Ｖと低い電圧であるが、３端子レギュレータ７によりマイコン用電源に必要な電圧である５Ｖの電圧は十分に安定しており、１２Ｖの電圧が必要である室外給電用リレー８、風向モータ９はオフの状態であるため問題はない。このモードが運転待機モードであり、大幅な省電力化、節電が可能になる。
【００３０】
リモコンの運転スイッチ、あるいは本体運転スイッチが押された場合、マイクロコンピュータ２０は、リモコン受信回路２１、あるいは本体運転スイッチ回路２２の信号によりトランジスタ１９をオンする。トランジスタ１９がオンすることで、抵抗１８にも電流が流れ、直流出力部１１の電圧を検出する電圧値が抵抗１６と抵抗１７および抵抗１８の分圧比にて決定される。この分圧比を（  ５／２４）  になるように設定していると、直流出力部１１の出力電圧はシャントレギュレータ１５の基準電圧２．  ５Ｖの（  ２４／５）  倍である１２Ｖになるように制御され、直流出力部１１は室外供給用リレー８等が動作するために必要で安定した１２Ｖの電圧を供給する。このモードが通常運転モードである。
【００３１】
図２は、マイクロコンピュータ２０の動作を示すフローチャートである。商用交流電源１の電圧が入力され、マイクロコンピュータ２０にマイコン用の電圧が供給されることによってマイクロコンピュータ２０の動作がスタートする。まず、電源投入時には、トランジスタ１９、室外給電用リレー８等の駆動回路２３がオフとなるように初期設定する（ステップＳ１０）。
【００３２】
つぎに、リモコン受信回路２１、あるいは本体運転スイッチ回路２２からの運転信号の入力待ちをする（ステップＳ１１）。運転信号の入力がない場合は、トランジスタ１９、室外給電用リレー８等の駆動回路２３がオフの運転待機モードが保たれる。運転信号の入力があると、トランジスタ１９をオンし（ステップＳ１２）、タイマーをスタートし（ステップＳ１３）、タイマーをカウントし（ステップＳ１４）、運転信号の入力より規定時間が経過したか否かを判断する（ステップＳ１５）。
【００３３】
規定時間が経過するのを待ち、規定時間が経過すれば、トランジスタ１９のオンによって直流出力部１１の電圧が必要電圧に上昇したと判断し、運転表示ランプ１０等を駆動する駆動回路２３をオンするなどして通常運転を開始する（ステップＳ１６）。
【００３４】
その後は、運転停止の信号の入力待ちになり（ステップＳ１７）、運転停止信号が入力されると、直ちに駆動回路２３をオフして運停止動作処理を行い（ステップＳ１８）、停止動作処理が完了したのちに、トランジスタ１９をオフし、運転待機モードにする。この運転待機モード時には、再び、リモコン受信回路２１、あるいは本体運転スイッチ回路２２からの運転信号の入力待ちをする（ステップＳ１１）。
【００３５】
これにより、運転指令を受信し、運転待機モードから通常運転モードに移行後、一定時間経過してから機器の各部の駆動部を動作させさせることで、確実に通常運転に必要な電圧を供給することができる。
【００３６】
実施の形態２．
図３は、この発明による電源制御装置を空調機の室内ユニット用の電源制御装置に適用した実施の形態２を示している。なお、図３に於いて、図１に対応する部分は図１に付した符号と同一の符号を付けて説明を省略する。
【００３７】
この実施の形態では、直流出力部１１の電圧を分圧して検出する抵抗１６、１７の接続点がオペアンプ２４の反転端子に接続され、基準電圧入力であるオペアンプ２４の非反転端子は、３端子レギュレータ７の出力との間に抵抗２５を、接地との間に電解コンデンサ２６を、マイクロコンピュータ２０の出力端子との間に抵抗２７を各々介して接続されている。
【００３８】
マイクロコンピュータ２０は、３端子レギュレータ７の出力電圧を分圧して検出している抵抗２８、２９の分圧値を読み込み、抵抗２７を介してオペアンプ２４の非反転端子に接続している端子に出力するパルス信号のハイレベルの時間割合（以下、デューティ比と云う）を調整する。これによりマイクロコンピュータ２０が基準電圧変更手段を具現する。
【００３９】
つぎに、上述の構成による電源制御装置の動作について説明する。商用交流電源１の電圧は、ブリッジ整流回路２により全波整流され、平滑用電解コンデンサ５により平滑される。平滑された電圧がある電圧以上になると、コンバータ制御部４は起動し、スイッチングトランス３の２次巻線３ｂに電圧が発生し、１２Ｖ用の直流出力部１１の電圧は上昇していく。このとき、室外給電用リレー８等の駆動回路２３はオフ、抵抗２７を接続されたマイクロコンピュータ２０の端子はデューティ比を１（１００％）にするようにマイクロコンピュータ２０に初期設定してある。
【００４０】
従って、基準電圧としているオペアンプ２４の非反転端子の電圧が５Ｖとなり、出力電圧を検出する抵抗１６と抵抗１７の分圧比を（  ５／１２）  に設定すると、直流出力部１１の電圧は５Ｖの（１２／５）倍である１２Ｖの電圧に安定するようにフォトカプラ１４によりコンバータ制御部４に帰還電流が流れる。
【００４１】
その後、マイクロコンピュータ２０は、抵抗２８、２９により分圧されたマイコン用電源である３端子レギュレータ７の出力の電圧値を監視しながら抵抗２７を接続された端子の出力デューティ比を低下させていく。デューティ比を低下することにより、抵抗２７を介して電解コンデンサ２６の電荷の放電量が増加するため、基準電圧であるオペアンプ２４の非反転端子の電圧は低下していく。基準電圧が低下することにより、フォトカプラ１４に帰還電流が流れ、直流出力部１１の電圧が下降する。
【００４２】
マイコン用電源である３端子レギュレータ７の出力電圧がマイコン用電源に必要である限界値（たとえば、４．  ５Ｖ）よりも低くなる前に、デューティ比の低下を停止することにより、直流出力部１１の電圧は３端子レギュレータ７の入出力間電位差１．  ４Ｖを加えた５．  ９Ｖで安定する。直流出力部１１の出力電圧は５．  ９Ｖと低い電圧であるが、マイコン用電源に必要な限界電圧である４．  ５Ｖは確保され、１２Ｖが必要である室外給電用リレー８、風向モータ９はオフの状態であるため問題はない。このモードが運転待機モードであり、この場合も、大幅な省電力化、節電が可能になる。
【００４３】
リモコンの運転スイッチ、あるいは本体運転スイッチが押された場合、マイクロコンピュータ２０は、リモコン受信回路２１、あるいは本体運転スイッチ回路２２の信号により、抵抗２７を接続された出力端子のデューティ比を１にする。これにより、マイクロコンピュータ２０の動作開始時と同様に、基準電圧であるオペアンプ２４の非反転端子の電圧は５Ｖに固定される。これにより、直流出力部１１の電圧は１２Ｖになり、室外供給用リレー８等が動作するために必要で安定した電圧を供給することとなる。このモードが通常運転モードである。
【００４４】
実施の形態３．
図４はこの発明による電源制御装置を空調機の室内ユニット用の電源制御装置に適用した実施の形態３を示している。なお、図４に於いても、図１に対応する部分は図１に付した符号と同一の符号を付けて説明を省略する。
【００４５】
この実施の形態では、直流出力部１１の電圧を分圧して検出する抵抗４０および抵抗４１が追加され、抵抗４０と４１の接続点がマイクロコンピュータ２０のアナログ入力端子に接続され、マイクロコンピュータ２０が直流出力部１１の電圧検出値を取り込むようになっている。
【００４６】
運転待機状態にて、リモコンの運転スイッチまたは本体運転スイッチが押されると、マイクロコンピュータ２０がリモコン受信回路２１、あるいは本体運転スイッチ回路２２の信号によりトランジスタ１９をオンし、シャントレギュレータ１５の基準電圧２．  ５Ｖの（２４／５）倍である１２Ｖになるように電圧を上昇させる過程で、抵抗４０、４１にて分圧された直流出力部１１の電圧がマイクロコンピュータ２０で検知され、１２Ｖに安定したとマイクロコンピュータ２０が判断したのち、室外給電用リレー８等の動作を開始する。これにより、機器の各部分に必要で安定した電圧を的確に供給することができる。
【００４７】
通常運転モードへ移行する際、マイクロコンピュータ２０にて検出している直流出力部１１の電圧が規定時間内に規定値（１２Ｖ）にならない場合には、回路に異常があると判断し、通常動作は開始せずに、運転表示ランプ１０を点滅表示して、異常を知らせることができる。
【００４８】
【発明の効果】
以上の説明から理解される如く、この発明による電源制御装置によれば、運転待機モード中は出力電圧変更手段によって誤差増幅回路に与えるスイッチング電源の出力電圧を低下させることで、スイッチング電源の出力電圧を低下させるから、簡単な回路構成で、安価で、精度および信頼性が高く、運転待機中の消費電力を効果的に低減することができる。
【００４９】
また、この発明によれば、誤差増幅回路がシャントレギュレータにより構成され、出力電圧変更手段がスイッチング電源の出力電圧を分圧する２個の抵抗とそれら抵抗に並列に接続された抵抗とトランジスタとの直列回路により構成されているから、簡単な回路構成で、安価で、精度および信頼性が高く、運転待機中の消費電力を効果的に低減することができる。
【００５０】
つぎの発明による電源制御装置によれば、運転待機モード中は誤差増幅回路の基準電圧を基準電圧変更手段によって低下させることで、、スイッチング電源の出力電圧を低下させるから、簡単な回路構成で、安価で、精度および信頼性が高く、運転待機中の消費電力を効果的に低減することができる。
【００５１】
つぎの発明による電源制御装置によれば、誤差増幅回路がスイッチング電源の出力電圧を分圧したものと基準電圧との差により動作するオペアンプにより構成され、基準電圧変更手段はオペアンプの基準電圧を変化させるものであるから、簡単な回路構成で、安価で、精度および信頼性が高く、運転待機中の消費電力を効果的に低減することができる。
【００５２】
つぎの発明による電源制御装置によれば、基準電圧の変更をマイクロコンピュータ出力のデューティ比制御により行うから、運転待機中のスイッチング電源の出力電圧を細かく正確に設定することができ、運転待機中の消費電力を最大限に低減することが可能になる。
【００５３】
つぎの発明による電源制御装置によれば、電圧検出手段により検出される電圧値がマイクロコンピュータを含めた信号入力回路が動作可能な最低限の電圧値になるまでスイッチング電源の出力電圧を低下させるべく基準電圧を変化させるから、運転待機中の消費電力を最大限に低減することができる。
【００５４】
つぎの発明による電源制御装置によれば、信号入力回路にて運転指令を受信して運転待機モードから通常運転モードに移行するとき、スイッチング電源の出力電圧を通常電圧へ切り換える制御を行ったのち、一定時間経過後に機器の各部分の駆動回路を動作させるから、通常運転に必要な電圧を確実に供給することができる。
【００５５】
つぎの発明による電源制御装置によれば、信号入力回路にて運転指令を受信して運転待機モードから通常運転モードに移行するとき、出力電圧検出手段により検出される出力電圧が規定値以上になったのち、機器の各部分の駆動回路を動作開始させるから、必要最少時間で機器の各部の確実な動作が可能となる。
【００５６】
つぎの発明による電源制御装置によれば、運転待機モードから通常運転モードへの移行に際して出力電圧検出手段により検出されるスイッチング電源の出力電圧が規定値以上ならない場合には異常表示を行うから、サービス性の向上が図れる。
【図面の簡単な説明】
【図１】この発明の電源制御装置を空調機の室内ユニット用の電源制御装置に適用した実施の形態１を示す電気回路図である。
【図２】実施の形態１の電源制御装置におけるマイクロコンピュータの動作を示すフローチャートである。
【図３】この発明の電源制御装置を空調機の室内ユニット用の電源制御装置に適用した実施の形態２を示す電気回路図である。
【図４】この発明の電源制御装置を空調機の室内ユニット用の電源制御装置に適用した実施の形態３を示す電気回路図である。
【図５】従来における電源制御装置のブロック図である。
【図６】従来における電源制御装置の電気回路図である。
【符号の説明】
１  商用交流電源、２  ブリッジ整流回路、３  スイッチングトランス、４  コンバータ制御部、７  ３端子レギュレータ、１０  運転表示ランプ、１１  直流出力部、１４  フォトカプラ、１５  シャントレギュレータ  １６、１７、１８  抵抗、１９  トランジスタ、２０  マイクロコンピュータ、２１  リモコン受信回路、２２  本体運転スイッチ回路、２３  駆動回路部、２４  オペアンプ２８、２９、４０、４１  抵抗。
【図１】
0003614693.tif 000002
【図２】
0003614693.tif 000003
【図３】
0003614693.tif 000004
【図４】
0003614693.tif 000005
【図５】
0003614693.tif 000006
【図６】
0003614693.tif 000007